(57)【要約】【課題】  個人宅や開業医院等の希望する場所へ希望する時刻に個別に機動性よく派遣することを可能にし、安価な構成で受診率の向上を図れるようにした検査受付処理装置及びこれを備えた検査車両派遣システムを提供する。【解決手段】  申込元の携帯電話と管理側のパソコンとがインターネットを介して接続されると、ＣＰＵにより、申込元の検査希望日、氏名、住所などの申込元情報と、検査を受けてよいかどうかを判断するために予め設定された受診回数や生年月日、症状の有無などの複数の質問項目に対する回答が取得され（ステップＳ９，Ｓ１０）、取得された情報が申込リストに書き込まれ、質問の回答に基づき当該申込者が検査を受けてよいとする許可条件を満たしていると判定される（ステップＳ１１，Ｓ１２）場合には、検索した地図データから派遣予定の検査車両が到着する到着予想時刻が導出されて（ステップＳ１３）申込元に電子メールにて通知される。【選択図】  図９
2008000417.tif 000002
【特許請求の範囲】
【請求項１】
精度管理された医療検査手段を搭載した検査車両を派遣すべく申込元からの検査申込を受け付ける検査受付処理装置において、
前記検査車両が、
管理部により派遣状況が管理され、検査及び脱衣のためのスペースを有し医療検査手段を搭載した普通自動車用駐車スペース１台分以内の大きさの車両から成り、
前記管理部には、
申込元通信端末と通信回線を介して接続される管理側通信端末と、
接続状態の前記申込元通信端末及び管理側通信端末を通じて申込元の検査希望日及び検査希望時間帯、氏名、住所などの申込元情報、並びに、検査を受けてよいかどうかを判断するために予め設定された年間受診回数や生年月日、症状の有無などの複数の質問項目に対する回答を取得する取得手段と、
前記取得手段により取得された前記申込元情報及び前記質問項目に対する回答を書き込んだ申込リストを作成する作成手段と、
前記取得手段により取得された複数の前記質問項目に対する回答に基づき、当該申込元が検査を受けてよいとする許可条件を満たしているかどうか判定する判定手段と、
前記申込リストに書き込まれた前記申込元が、同じ前記検査希望日に複数重複し前記検査希望時間帯が異なる場合には前記検査希望時間帯の早い順に派遣順序を決定し、同じ前記検査希望日の同じ前記検査希望時間帯に複数重複する場合には前記申込元の住所に基づいて派遣順序を決定する決定手段と、
地図データを格納した地図データ格納手段と、
前記地図データ格納手段から前記作成手段により前記申込リストに書き込まれた前記申込元情報である住所を含む地図データを検索し、当該検査希望日に派遣予定が一の場合には、派遣予定の前記検査車両の待機場所から当該住所までの走行に要する所要時間を算出し、当該検査希望日に派遣予定が複数の場合には、先に派遣予定の前記申込元の住所を前記待機場所として、前記決定手段により決定される次に派遣予定の前記申込元の住所までの走行に要する所要時間を算出する算出手段と、
許可条件を満たしていると判定されるときに、前記算出手段により算出される前記所要時間から、派遣予定の前記検査車両の到着予想時刻を導出し前記通信回線を介して該到着予想時刻を事前に当該申込元に通知する通知手段と
が備えられ、
１種類の検査に必要十分な前記医療検査手段を搭載した１台の前記検査車両を派遣すべく、または、１種類の検査に必要十分な前記医療検査手段を分散して搭載した複数の前記検査車両を派遣すべく、または、異なる種類の検査に必要十分な前記医療手段を搭載した複数の前記検査車両のうち１台以上を派遣すべく、検査申込を受け付けることを特徴とする検査受付処理装置。
【請求項２】
前記検査車両１台単位で、前記医療検査手段とこれを運用する有資格検査運用者、または、有資格検査運用者及び医師が派遣されるものであることを特徴とする請求項１に記載の検査受付処理装置。
【請求項３】
前記通知手段が、
１種類の検査に必要十分な前記医療検査手段を分散して搭載した複数の前記検査車両を派遣する場合、及び異なる種類の検査に必要な前記医療検査手段を搭載した複数の前記検査車両のうち２台以上を派遣する場合に、前記検査車両に搭載の前記医療検査手段による検査時間を見越して、派遣予定の前記各検査車両それぞれの到着予想時刻に差をもたせるものである
ことを特徴とする請求項１または２に記載の検査受付処理装置。
【請求項４】
前記取得手段が、
前記各申込元情報の情報名、及び、前記各質問項目の質問内容を音声メッセージとして前記申込元通信端末に向けて送出し、前記申込元通信端末に設けられた操作キーの操作による前記各申込元情報、及び、前記各質問項目の回答の入力を促す送出手段と、
前記申込元通信端末の前記キーの操作により入力される前記各申込元情報のデータ、及び、前記各質問項目に対する回答データを取り込んで前記登録手段に転送する取込手段と
を備えていることを特徴とする請求項１ないし３のいずれかに記載の検査受付処理装置。
【請求項５】
前記申込元通信端末が、キーボード及び表示画面を備えインターネットを利用可能な携帯端末またはパーソナルコンピュータであり、
前記管理側通信端末が、インターネットを利用可能なパーソナルコンピュータであり、
前記管理側通信端末側のパーソナルコンピュータが、前記取得手段、前記作成手段、前記判定手段、前記算出手段、前記通知手段としての各機能を備え、
前記取得手段として、
前記管理側通信端末側のホームページに前記申込元通信端末がアクセスすることにより、前記各申込元情報、及び、前記各質問項目に対する回答の入力画面を前記申込元通信端末の表示画面に表示する表示機能と、
前記申込元通信端末のキーボード操作により入力される前記各申込元情報のデータ、及び、前記各質問項目に対する回答データを取り込んで前記作成手段に転送する機能とをさらに有し、
前記算出手段として、
前記地図データ格納手段がインターネットを介して接続可能なサーバーに設けられたものを利用し、該サーバーにアクセスして必要な地図データを検索する機能を有する
ことを特徴とする請求項１ないし３のいずれかに記載の検査受付処理装置。
【請求項６】
前記医療検査手段が、マンモグラフィ併用乳がん検査用であることを特徴とする請求項１ないし５のいずれかに記載の検査受付処理装置。
【請求項７】
前記検査車両が、前記医療検査手段用に商用電源により充電可能なバッテリを搭載していることを特徴とする請求項１ないし６のいずれかに記載の検査受付処理装置。
【請求項８】
請求項１ないし７のいずれかに記載の検査受付処理装置を備えた検査車両派遣システムにおいて、
前記検査車両に搭乗可能な医師兼有資格検査運用者兼運転者、及び、医師兼運転者、及び、有資格検査運用者兼運転者に関するデータを予め登録した登録手段と、
前記通知手段により通知される前記到着予想時刻及び前記算出手段により算出される前記所要時間から出発予定時刻を算出して報知し派遣を促す報知手段を備え、
前記報知手段は、派遣予定の当該検査車両１台につき、
当該申込元が個人の場合には、前記登録手段に登録された医師兼有資格検査運用者兼運転者１名、または、医師兼運転者及び有資格検査運用者兼運転者の２名に対して前記出発予定時刻を報知し、
当該申込元が開業医院の場合には、前記登録手段に登録された有資格検査運用者兼運転者１名のみに対して前記出発予定時刻を報知する
ことを特徴とする検査車両派遣システム。
【発明の詳細な説明】
【技術分野】
【０００１】
この発明は、医療検査手段を搭載した検査車両を派遣すべく申込元からの検査申込を受け付ける検査受付処理装置及びこれを備えた検査車両派遣システムに関するものである。
【背景技術】
【０００２】
一般に、「検診」とは集団での効果を目指すために医学的な証拠に基づき経済的にデザインされた検査を意味し、検診の効果として、
（１）精度管理された検査機器と検査機器操作の有資格検査運用者による検査システム、
（２）一定の受診率、
の２点を必要とする。そのため、検診は、現状での健康状態をチェックする各法に基づく健康診断とは異なり、法的に厚生労働省老健局の通達に基づき精度管理が要求され、検査によっては専用の運用者資格も要求される。
【０００３】
一方、人間ドックは個人での効果を目指し、検診よりも感度を上げるために、医学的な証拠がなくとも効果が推測される検査も含め各種検査を組み合わされることが通常行われており、個々の検査においては検診よりも高度な精度管理が要求される。また現代では、一開業医院での患者への検査においても、病院と同様な高度な精度を要求されるのが実情である。
【０００４】
これらのことから、各種検査は、近隣の開業医院ではなく、設備と人員の整った病院等の施設で行われるようになった。そのため、検査を希望し或いは検査を必要とする際には、施設の都合に合わせた時刻に病院等の施設に出向いて検査を受けなければならない。
【０００５】
このような、自己都合とのすりあわせや、わざわざ施設へ出向く手間から、検診や人間ドックの受診率は低いというのが現状であり、特に「検診」においては有効とされる受診率を達成できているものはほとんどない。また、患者に必要な精密検査でも、自己都合とのすりあわせや、わざわざ施設へ出向く手間から、検査が忌避されることがあり、検査の受診率が低下している。
【０００６】
そこで、施設以外での検査の便宜を図るために、中型或いは大型バスを特別に改造した構造の各種検診車が提案され実現されている（例えば、特許文献１参照）。
【０００７】
【特許文献１】特開２００２−３０６４３０号公報（段落[００１６]〜[００１７]及び図２）
【発明の開示】
【発明が解決しようとする課題】
【０００８】
しかし、特許文献１記載の従来の検診車の場合、中型或いは大型車両であるため、大きな駐車スペースが必要で燃料費もかさみ、個人宅や開業医院に随時個別の派遣や巡回を行うには、物理的にも経済的にも不向きであるという問題がある。また、このような検診車の場合、検診車の運用の都合上、受診者が指定の時間帯に検診車の駐車可能な場所へ出向いて検査を受ける必要があるという問題がある。
【０００９】
そのため、従来の検診車による検診は受診率向上に十分寄与しているとは言えず、また検診車とは名ばかりで法的な意味合いでの検診ではなく実は健康診断を行うためのものもあり、受診者を混乱させる結果となっている。
【００１０】
さらに、従来の検診車では、集団で多種類の検査を集中して行うのが主たる目的であるため、検査車に投ずべき初期費用が非常に高価になり、実際の運行には大型免許を有する専任の運転手に加え複数の有資格検査運用者を要し、人件費や燃料代も含め運用コストが高くなるという問題もある。
【００１１】
一方、検査方法や検査機器の進歩、改良により、検査機器の小型化や省電力化は進んでいるものの、個人宅内や開業医院内へ精度管理された形で随時検査機器を派遣するほどには検査方法や検査機器の進歩がないのが現状でもある。
【００１２】
本発明は上記課題に鑑みなされたものであり、個人宅や開業医院等の希望する場所へ希望する時刻に個別に機動性よく派遣することを可能にし、安価な構成で受診率の向上を図れるようにした検査受付処理装置及びこれを備えた検査車両派遣システムを提供することを目的とする。
【課題を解決するための手段】
【００１３】
上記した課題を解決するために、請求項１に記載の検査受付処理装置は、精度管理された医療検査手段を搭載した検査車両を派遣すべく申込元からの検査申込を受け付ける検査受付処理装置において、前記検査車両が、管理部により派遣状況が管理され、検査及び脱衣のためのスペースを有し医療検査手段を搭載した普通自動車用駐車スペース１台分以内の大きさの車両から成り、前記管理部には、申込元通信端末と通信回線を介して接続される管理側通信端末と、接続状態の前記申込元通信端末及び管理側通信端末を通じて申込元の検査希望日及び検査希望時間帯、氏名、住所などの申込元情報、並びに、検査を受けてよいかどうかを判断するために予め設定された年間受診回数や生年月日、症状の有無などの複数の質問項目に対する回答を取得する取得手段と、前記取得手段により取得された前記申込元情報及び前記質問項目に対する回答を書き込んだ申込リストを作成する作成手段と、前記取得手段により取得された複数の前記質問項目に対する回答に基づき、当該申込元が検査を受けてよいとする許可条件を満たしているかどうか判定する判定手段と、前記申込リストに書き込まれた前記申込元が、同じ前記検査希望日に複数重複し前記検査希望時間帯が異なる場合には前記検査希望時間帯の早い順に派遣順序を決定し、同じ前記検査希望日の同じ前記検査希望時間帯に複数重複する場合には前記申込元の住所に基づいて派遣順序を決定する決定手段と、地図データを格納した地図データ格納手段と、前記地図データ格納手段から前記作成手段により前記申込リストに書き込まれた前記申込元情報である住所を含む地図データを検索し、当該検査希望日に派遣予定が一の場合には、派遣予定の前記検査車両の待機場所から当該住所までの走行に要する所要時間を算出し、当該検査希望日に派遣予定が複数の場合には、先に派遣予定の前記申込元の住所を前記待機場所として、前記決定手段により決定される次に派遣予定の前記申込元の住所までの走行に要する所要時間を算出する算出手段と、許可条件を満たしていると判定されるときに、前記算出手段により算出される前記所要時間から、派遣予定の前記検査車両の到着予想時刻を導出し前記通信回線を介して該到着予想時刻を当該申込元に事前に通知する通知手段とが備えられ、１種類の検査に必要十分な前記医療検査手段を搭載した１台の前記検査車両を派遣すべく、または、１種類の検査に必要十分な前記医療検査手段を分散して搭載した複数の前記検査車両を派遣すべく、または、異なる種類の検査に必要十分な前記医療検査手段を搭載した複数の前記検査車両のうち１台以上を派遣すべく、検査申込を受け付けることを特徴としている。
【００１４】
このような構成によれば、申込元通信端末と管理側通信端末とが通信回線を介して接続状態になると、取得手段により、申込元の検査希望日、氏名、住所などの申込元情報、並びに、検査を受けてよいかどうかを判断するために予め設定された年間受診回数や生年月日、症状の有無などの複数の質問項目に対する回答が取得され、取得された申込元情報が書込手段により申込リストに書き込まれる。
【００１５】
このとき、複数の申込元が、同じ検査希望日に重複するものの検査希望時間帯が異なる場合には、決定手段により検査希望時間帯の早い順に派遣順序が決定され、同じ検査希望日の同じ検査希望時間帯に重複する場合には申込元の住所に基づいて派遣順序が決定される。
【００１６】
そして、取得された質問項目に対する回答に基づき、判定手段により申込者が検査を受けてよいとする許可条件を満たしていると判定されると、地図データ格納手段から検索された地図データに基づき、算出手段により、派遣予定の検査車両の待機場所から当該申込元の住所まで走行所要時間が算出され、通知手段により、導出される検査希望日の到着予想時刻が申込元に通知され、１種類の検査に必要十分な医療検査手段を搭載した１台の検査車両を派遣すべく、または、１種類の検査に必要十分な医療検査手段を分散して搭載した複数の検査車両を派遣すべく、または、異なる種類の検査に必要十分な医療検査手段を搭載した複数の検査車両のうち１台以上を派遣すべく、検査受付が完了する。
【００１７】
そのため、自宅に居ながら検診を希望する個人は簡単に検査申込を行うことができ、しかも自宅近辺で検査車両に搭載された医療検査手段により希望する時間に検査を受けることが可能になる。これは、開業医院でも同様で、検査設備を有しなくても、開業医院が検査申し込みを行えば、検査車両が派遣されて当該医院において受診希望者または患者は検査を受けることが可能になる。
【００１８】
また、請求項２に記載の検査受付処理装置は、前記検査車両１台単位で、前記医療検査手段とこれを運用する有資格検査運用者、または、有資格検査運用者及び医師が派遣されるものであることを特徴としている。
【００１９】
このような構成によれば、自宅に居ながら検診を希望する個人は簡単に検査申込を行って受診することができ、検査設備と有資格検査運用者を有しない開業医院も簡単に検査申し込みを行って当該医院において受診希望者または患者に対する検査を実施することができる。
【００２０】
また、請求項３に記載の検査受付処理装置は、前記通知手段が、１種類の検査に必要十分な前記医療検査手段を分散して搭載した複数の前記検査車両を派遣する場合、及び異なる種類の検査に必要な前記医療検査手段を搭載した複数の前記検査車両のうち２台以上を派遣する場合に、前記検査車両に搭載の前記医療検査手段による検査時間を見越して、派遣予定の前記各検査車両それぞれの到着予想時刻に差をもたせるものであることを特徴としている。
【００２１】
このような構成によれば、複数の検査車両を派遣するときに、先の検査車両に搭載の医療検査手段による検査が終わる頃に次の検査車両が到着するように、通知手段により各検査車両の到着予想時刻が導出されて通知されるため、駐車スペースが１台分しかない場合であっても、限られた駐車スペースを効率よく使用することができる。
【００２２】
また、請求項４に記載の検査受付処理装置は、前記取得手段が、前記各申込元情報の情報名、及び、前記各質問項目の質問内容を音声メッセージとして前記申込元通信端末に向けて送出し、前記申込元通信端末に設けられた操作キーの操作による前記各申込元情報、及び、前記各質問項目の回答の入力を促す送出手段と、前記申込元通信端末の前記キーの操作により入力される前記各申込元情報のデータ、及び、前記各質問項目に対する回答データを取り込んで前記登録手段に転送する取込手段とを備えていることを特徴としている。
【００２３】
このような構成によれば、申込元では、接続状態の管理側通信端末及び申込元通信端末を通じて、取得手段の送出手段から送出される音声メッセージに基づき、キー操作によって各申込元情報、及び、各質問項目の回答を入力すればよく、これらの入力を行うことで、取得手段の取込手段により各申込元情報のデータ及び各質問項目に対する回答データが取り込まれて登録手段に転送され、検査受付が完了する。そのため、申込元では、検査申込を音声ガイダンスに従った手順で簡単に行うことができる。
【００２４】
また、請求項５に記載の検査受付処理装置は、前記申込元通信端末が、キーボード及び表示画面を備えインターネットを利用可能な携帯端末またはパーソナルコンピュータであり、前記管理側通信端末が、インターネットを利用可能なパーソナルコンピュータであり、前記管理側通信端末側のパーソナルコンピュータが、前記取得手段、前記作成手段、前記判定手段、前記算出手段、前記通知手段としての各機能を備え、前記取得手段として、前記管理側通信端末側のホームページに前記申込元通信端末がアクセスすることにより、前記各申込元情報、及び、前記各質問項目に対する回答の入力画面を前記申込元通信端末の表示画面に表示する表示機能と、前記申込元通信端末のキーボード操作により入力される前記各申込元情報のデータ、及び、前記各質問項目に対する回答データを取り込んで前記作成手段に転送する機能とをさらに有し、前記算出手段として、前記地図データ格納手段がインターネットを介して接続可能なサーバーに設けられたものを利用し、該サーバーにアクセスして必要な地図データを検索する機能を有することを特徴としている。
【００２５】
このような構成によれば、申込元では、接続状態の管理側通信端末及び申込元通信端末を通じて、管理側通信端末側のホームページにアクセスし、申込元通信端末側のパーソナルコンピュータ表示画面に表示される入力画面において、各申込元情報及び各質問項目に対する回答を入力することにより、検査受付が完了する。そのため、申込元では、検査申込を管理側通信端末側のホームページの表示画面に従った手順で簡単に行うことができる。
【００２６】
また、請求項６に記載の検査受付処理装置は、前記検査手段が、マンモグラフィ併用乳がん検査用であることを特徴としている。
【００２７】
このような構成によれば、自宅や開業医院におけるマンモグラフィ併用の乳がん検診が可能になるため、特に受診率の低い乳がん検査を広く普及させることができる。
【００２８】
また、請求項７に記載の検査受付処理装置は、前記検査車両が、前記医療検査手段用に商用電源により充電可能なバッテリを搭載していることを特徴としている。
【００２９】
このような構成によれば、検査車両に搭載している医療検査手段が省電力化されていることと、車両が小型で一度に少人数しか搭乗できずかつ随時個別に派遣されることから検査件数が限られていることから、医療検査手段の駆動源として商用電源により充電可能なバッテリで十分であり、検査終了後、次の検査に備えて検査車両を管理する場所で充電しておけばよいため、検査車両を停めて検査を行う間、発電機による排ガス、騒音、振動などがなく、周囲への影響と検査車両内での環境が良好となる。
【００３０】
また、請求項８に記載の検査車両派遣システムは、請求項１ないし７のいずれかに記載の検査受付処理装置を備えた検査車両派遣システムにおいて、前記検査車両に搭乗可能な医師兼有資格検査運用者兼運転者、及び、医師兼運転者、及び、有資格検査運用者兼運転者に関するデータを予め登録した登録手段と、前記通知手段により通知される前記到着予想時刻及び前記算出手段により算出される前記所要時間から出発予定時刻を算出して報知し派遣を促す報知手段を備え、前記報知手段は、派遣予定の当該検査車両１台につき、当該申込元が個人の場合には、前記登録手段に登録された医師兼有資格検査運用者兼運転者１名、または、医師兼運転者及び有資格検査運用者兼運転者の２名に対して前記出発予定時刻を報知し、当該申込元が開業医院の場合には、前記登録手段に登録された有資格検査運用者兼運転者１名のみに対して前記出発予定時刻を報知することを特徴としている。
【００３１】
このような構成によれば、判定手段により申込者が検査を受けてよいとする許可条件を満たしていると判定されると、報知手段により、通知手段による到着予想時刻及び算出手段による所要時間から出発予定時刻が報知されるため、派遣が効果的に促される。
【００３２】
このとき、前記派遣車両が普通自動車駐車場１台分以内の大きさの車両であるため普通自動車免許で運転できることから、運転手を医師や有資格運用者が兼任することが可能であり、申込元が個人の場合には登録手段に登録された医師兼有資格運用者兼運転手１名、または、医師兼運転手及び有資格運用者兼運転手の２名に出発予定時刻が報知され、申込元が開業医院の場合には登録手段に登録された有資格運用者兼運転手１名にのみ出発予定時刻が報知されることになり、最少の人員で派遣が効果的に促される。
【発明の効果】
【００３３】
請求項１に記載の発明によれば、自宅に居ながら検診を希望する個人や検査設備を有しない開業医院は、簡単に検査申込を行うことができて検査車両の派遣を受けることが可能になり、自宅駐車場やその付近で検査を受ることができ、開業医院の場合には医院において受診希望者または患者は検査を受けることができる。
【００３４】
その結果、受診率の低い検査について適用すれば、機動性のよい検査車両の派遣によってその検査に対する受診率の向上を図ることができ、これまでわざわざ検査のために病院等の施設に出向くことの少なかった住民が多く居住し受診率が低かった地域において、受診率の向上に寄与することができる。
【００３５】
請求項２に記載の発明によれば、請求項１に記載の発明と同様、自宅に居ながら検診を希望する個人は簡単に検査申込を行って受診することができ、検査設備と有資格検査運用者を有しない開業医院も簡単に検査申し込みを行って当該医院において受診希望者と患者に対する検査を実施することができ、受診率の向上に寄与することが可能になる。
【００３６】
請求項３に記載の発明によれば、通知手段により複数の検査車両それぞれの到着予想時刻が導出されて通知されるため、限られた駐車スペースを効率よく使用することが可能になる。
【００３７】
請求項４に記載の発明によれば、申込元では、検査申込を音声ガイダンスに従った手順で簡単に行うことができるため、簡単な申込手続きで、しかも自宅に居ながら受診したり近くのかかりつけの開業医院において受診することができ、受診率の向上に寄与することができる。
【００３８】
請求項５に記載の発明によれば、申込元では、検査申込を管理側通信端末側のホームページの表示画面に従った手順で簡単に行うことができるため、簡単な申込手続きで、しかも自宅に居ながら受診したり近くのかかりつけの開業医院において受診することができ、受診率の向上に寄与することができる。
【００３９】
請求項６に記載の発明によれば、高価で他の検査に流用できず運用に専用の資格の必要なマンモグラフィ装置を併用した乳がん検査が自宅や乳腺専門でない一般開業医院において可能になるため、特に受診率の低い乳がん検査を広く普及させることができ、乳がん検査の受診率を飛躍的に向上することができる。
【００４０】
請求項目７に記載の発明によれば、医療検査手段の駆動源として商用電源により充電可能なバッテリで十分であるため、検査前後での発電機の操作が不要となり、検査終了後に次の検査に備えて検査車両を管理する場所で充電しておけばよく、機動性よく検査車両を派遣することが可能となり、さらに、検査車両を停めて検査を行う間、発電機による排ガス、騒音、振動などがなく、周囲への影響と検査車両内での環境が良好となり、地下駐車場などの閉鎖的な場所へも派遣することが可能となる。
【００４１】
請求項８に記載の発明によれば、前記派遣車両が普通自動車駐車場１台分以内の大きさの車両であるため普通自動車免許で運転できることから、運転手を医師や有資格運用者が兼任することが可能であり、申込元が個人の場合には登録手段に登録された医師兼有資格運用者兼運転手１名、または、医師兼運転手及び有資格運用者兼運転手の２名に出発予定時刻が報知され、申込元が開業医院の場合には登録手段に登録された有資格運用者兼運転手１名にのみ出発予定時刻が報知されることになり、最少の人員で個別の検査を実施することができ、経済的に機動性よく検査車両を派遣して受診率の向上に寄与することができる。
【発明を実施するための最良の形態】
【００４２】
（第１実施形態）
本発明の第１実施形態について図１ないし図１０を参照して説明する。本実施形態は、マンモグラフィ併用乳がん検査を行うための医療検査手段として、視触診検査手段を行うためのスペースを有した検査車両に、マンモグラフィ検査手段を行うためのマンモグラフィ検査装置を搭載し、検査受付をした申込元にこの検査車両を派遣する場合を例として説明する。ここで、図１は検査受付処理装置のブロック図、図２ないし図５はそれぞれ動作説明図、図６ないし図８はそれぞれ検査車両の平面図、右側面図、左側面図、図９及び図１０は動作説明用フローチャートである。
【００４３】
＜検査受付処理装置の構成＞
派遣すべき検査車両の管理を行う管理部には検査受付処理装置が設けられ、この検査受付処理装置は図１に示すように構成されている。即ち、例えば検査受診を希望する申込元側のインターネット２を利用可能な申込元側通信端末としての携帯電話１に対し、インターネット２を利用可能な管理側通信端末としての管理側パーソナルコンピュータ（以下、パソコンと称する）３が設けられている。このパソコン３は、公知のようにＣＰＵ３ａと、通信回線を介してインターネット２に接続するための通信部３ｂと、所定の制御プログラムを記憶したＲＯＭ３ｃのほか、一時的なデータ記憶用のＲＡＭ３ｄなどを備えており、ＬＣＤなどのディスプレイ５、キーボード７、マウス９、プリンタ１１やＨＤＤなどの外部メモリ１３などの周辺機器が管理側パソコン３に接続されている。
【００４４】
管理側パソコン３は管理部のサーバとしてインターネット上に自己のホームページを予め作成、開設しており、申込元が携帯電話１を操作し公知のブラウザを使用して管理部のホームページにアクセスすると、パソコン３は、申込元の携帯電話１の液晶表示部にアクセスした管理部のホームページを表示するようになっている。
【００４５】
このとき、申込元の携帯電話１に表示されるホームページには、図２に示すような、ユーザ登録を行うページと検査希望日時などの申込をするページとを選択する画面が表示され、申込元のユーザ登録を行うページが選択されると、ユーザＩＤ、パスワード、氏名、住所、電話番号などの申込元情報を入力するための図３に示す登録画面が申込元の携帯電話１に表示される。
【００４６】
そして、申込元が必要な情報入力を完了して「登録」ボタンをクリックすると、図２に示すホームページが再び申込元の携帯電話１に表示され、登録済みのユーザに対する申込ページが選択されると、図４に示すような検査希望日・時間帯の入力画面が申込元の携帯電話１に表示される。
【００４７】
この入力画面により、申込元が希望する検査日及び時間帯の入力を完了し、「申込」ボタンをクリックすると、引き続いて図５に示すような質問画面が申込元の携帯電話１に表示される。この質問事項は、マンモグラフィ併用乳がん検診を受診するに当たって、当該申込元が受診してよいとする許可条件を満たしているかどうかを判定する基準データとなる。ここで、上記した申込元情報、検査希望日や時間帯、複数の質問項目に対する回答がパソコン３のＣＰＵ３ａにより取得される。
【００４８】
なお、検査車両を個人宅或いは個人開業医院に派遣するに当たって、検査車両が駐車するための普通自動車用の駐車場があるか否かも質問事項に加えられている。
【００４９】
このようにパソコン３のＣＰＵ３ａにより、図２〜図５に示す画面を申込元の携帯電話１に表示する処理、並びに、上記した申込元情報、検査希望日や時間帯、複数の質問項目に対する回答を取得する処理が、発明における「取得手段」に相当する。
【００５０】
また、パソコン３のＣＰＵ３ａによる申込元情報、検査希望日や時間帯、複数の質問項目に対する回答の取得処理が実行されると、取得された各データがＲＡＭ３ｄの所定アドレス範囲に確保された申込リストエリアの該当アドレスに書き込まれて、当該申込元の申込リストが作成され、このようなパソコン３のＣＰＵ３ａによる申込リストの作成処理が本発明における「作成手段」に相当する。
【００５１】
そして、図５に示す質問事項に対する回答が入力されて「ＯＫ」ボタンがクリックされると、入力された回答結果に基づき、当該申込元が受診してよいとする許可条件を満たしているかどうかがパソコン３のＣＰＵ３ａにより判定される。このとき、パソコン３の例えばＲＡＭ３ｄに、許可条件として、受診回数が２年に１回の割（１年につき０．５回）を超えていないこと、法定の受診制限年齢以上であること、検診の場合は無症状での受診が原則なので無症状であることが設定されており、質問の回答がこれらの設定すべてに合致していれば、受診可能であって当該申込元は許可条件を満足すると判定され、質問の回答がこれらの設定の１つでも合致しなければ、受診不可能であって当該申込元は許可条件を満足しないと判定される。このようなパソコン３のＣＰＵ３ａによる判定処理が、本発明における「判定手段」に相当する。
【００５２】
ところで、受診回数が２年に１回の割を超えている場合や年齢制限未満の場合、或いは、何らかの受診不可能と判断できる症状がある場合など、いずれかの許可条件を満たしていないと判断された場合には、許可条件を満たしていない申込元の携帯電話１に、例えば「本年度は検査の対象ではありません。来年度に受診下さい。」や、「症状がありますので検診は受けられません。直ちに精密検査施設にて受診して下さい。」などの受診不許可の旨を電子メールにより送信する一方、許可条件を満たしていると判断された場合には、他の許可条件を満たす申込元の検査希望日及び時間帯との調整を行った上、検査実施予定日と当日の検査車両の到着予想時刻を電子メールにより送信して通知すべく、パソコン３のＲＯＭ３ｃに電子メールの送信制御プログラムが格納され、許可条件不満足及び許可条件満足とそれぞれ判断したときに対応してパソコン３のＣＰＵ３ａがこの送信制御プログラムを実行して必要な電子メールを送信するように設定されている。
【００５３】
ここで、許可条件満足と判断されたときのパソコン３のＣＰＵ３ａの処理として、同じ検査希望日に複数の申込元が重複する場合には、当該日を第１希望日とする申込元から検査車両の派遣順序を決定し、同じ検査希望日を第１希望日とする複数の申込元がある場合には、検査希望時間帯の早い申込元から検査車両の派遣順序を決定し、さらに検査希望時間帯が重複する場合には、当該申込元の住所に基づき、検査車両の待機場所から当該住所までの距離の近い方から検査車両の派遣順序を決定するように、図４に示す検査希望日及び時間帯の入力画面に従って申込元が入力するデータに基づいて派遣順序を決定する決定制御プログラムがＲＯＭ３ｃに格納され、パソコン３のＣＰＵ３ａがこれを実行するように設定されている。
【００５４】
このようなＣＰＵ３ａの決定制御プログラムの実行による検査車両の派遣順序の決定処理が、本発明における「決定手段」に相当する。
【００５５】
そして、パソコン３のＣＰＵ３ａによりこのように派遣順序が決定されると、上記したように検査実施予定日と当日の検査車両の到着予想時刻が電子メールで通知されるが、このとき、電子メールを送信すべき申込元の住所データに基づき、パソコン３のＣＰＵ３ａにより、インターネット２上の例えばＧＰＳ（Global Positioning System）による地図データを提供するサービスを行っている特定のＧＰＳサーバ１５にアクセスされ、当該住所を含む周辺地図のデータがＧＰＳサーバ１５の地図データを記憶するメモリ（本発明における「地図データ格納手段」に相当）から読み出されてパソコン３のＲＡＭ３ｄに一旦保持され、ＣＰＵ３ａにより、派遣予定の検査車両の待機場所から当該住所までの走行に必要とされる所要時間が算出され、算出した所要時間から当該住所への到着予想時刻が導出されるとともに、この到着予想時刻から所要時間が逆算されて出発予定時刻が導出され、検査申込の受付が完了し、到着予想時刻が申込元に電子メールで通知されるようになっている。なお、上記したＧＰＳサーバ以外のサーバにより地図データの提供を受けるようにしてもよいのは勿論である。
【００５６】
ここで、派遣予定の検査車両の待機場所とは、通常は常駐している駐車場を意味し、１日のうちに複数場所に順次移動して検査を実施するときには、移動直前の検査場所を意味する。
【００５７】
このようなパソコン３のＣＰＵ３ａによる所要時間の算出処理が、本発明における「算出手段」に相当し、パソコン３のＣＰＵ３ａによる導出した到着予想時刻の通知処理が、本発明における「通知手段」に相当する。
【００５８】
ところで、パソコン３のＲＡＭ３ｄには、予め検査車両に搭乗可能な医師兼有資格検査運用者兼運転者及び医師兼運転者及び有資格検査運用者兼運転者に関する氏名や連絡先などのデータが登録されている。この場合、ＲＡＭ３ａｄが本発明における「登録手段」として機能する。
【００５９】
このとき、検査車両の派遣には、１種類の検査に必要十分な医療検査手段を搭載した１台の検査車両を派遣する場合、または、１種類の検査に必要十分な医療検査手段を分散して搭載した複数の検査車両を派遣する場合、または、異なる種類の検査に必要十分な医療検査手段を搭載した複数の検査車両のうち１台以上を派遣する場合があるため、車両に搭載されている医療検査手段毎に有資格検査運用者を登録するのが基本となっており、ひとりで複数の医療検査手段に対する検査運用資格を有する場合には、複数の医療検査手段に対してひとりの者が各々の有資格検査運用者として登録されることもある。
【００６０】
本実施形態はマンモグラフィ併用乳がん検査を対象とした例であるため、マンモグラフィ併用乳がん検査を行うための医療検査手段として、マンモグラフィ検査手段を行うためのマンモグラフィ検査装置を搭載した１台の検査車両を派遣する場合に限られるが、搭乗するのは、乳房等の視触診検査を行う医師のほかマンモグラフィ検査装置の有資格検査運用者と運転者が必要であり、医師が運転免許とマンモグラフィ検査装置の運用資格の両方を有する場合には医師ひとり自ら検査車両を運転すればよく、医師が運転免許のみを有しマンモグラフィ検査装置の運用資格を有しない場合には、有資格検査運用者が同乗して医師が検査車両を運転したり、逆に医師が運転免許を有しないがマンモグラフィ検査装置の有資格検査運用者が運転免許を有する場合には、医師が同乗して有資格検査運用者が検査車両を運転することになる。
【００６１】
そして、パソコン３のＣＰＵ３ａにより、登録済みの医師兼有資格検査運用者兼運転者及び医師兼運転者及び有資格検査運用者兼運転者のうち、検査予定日に搭乗が可能な者が適宜選定され、導出した当該検査予定日の出発予定時刻が、電子メールなどによりその者に報知されて派遣を促すようになっている。なお、該当者が都合により搭乗不可能な場合には、他の候補者が選定されて同様に出発予定時刻が報知される。このようなパソコン３のＣＰＵ３ａによる報知処理が、本発明における「報知手段」に相当する。
【００６２】
ところで、マンモグラフィ超音波乳がん検査を行うような場合には、乳房等の視触診検査手段に加えて、マンモグラフィ検査手段と超音波検査手段が必要となるため、マンモグラフィ検査装置を搭載した検査車両と、超音波検査装置を搭載した検査車両の少なくとも２台の検査車両の派遣が必要になる。
【００６３】
この場合、２台の検査車両が同時に出発すると、申込元に１台分の駐車スペースしかないことが多々考えられるため、マンモグラフィ検査手段と超音波検査手段とを順次に行うべく先に行う検査手段に要する時間を見越して、後から行う検査手段の検査装置を搭載した検査車両の出発予定時刻に時差を設けるのが望ましく、このような時差の設定をパソコン３のＣＰＵ３ａにより実行すべく時差設定プログラムを予めＲＯＭ３ｃに格納しておき、ＣＰＵ３ａにより適宜これを実行するようにすればよい。このときのＣＰＵ３ａによる時差設定の処理が、本発明における「通知手段」に相当する。
【００６４】
＜検査車両の構成＞
次に、検査車両の構成について説明する。図６ないし図８に示すように、検査車両２０は、普通自動車用駐車スペース１台分以内の大きさの２トントラックをベースとした車両本体２１ａの荷台部分に、コンテナ２１ｂが取り付けられて形成され、コンテナ２１ｂ内は仕切壁２２で前側の撮影室２２ａと後側の検査運用室２２ｂとに仕切られ、検査運用室２２ｂは乗降口を開閉するドア２４を介して外部との間の出入が可能になっている。なお、２６はドア２４の位置に着脱自在に取り付けられる階段である。
【００６５】
コンテナ２２内の撮影室２２ａには検査・脱衣スペースが確保されるとともに、仕切壁２２に形成された出入口を開閉するドア２８を介して検査運用室２２ｂと撮影室２２ａとの間の往来が可能になっている。
【００６６】
そして、撮影室２２ａには、マンモグラフィ用のＸ線照射及び照射制御装置（以下、これをマンモグラフィ装置と称する）３０が配設され、Ｘ線照射時の電源となる昇圧トランス３２、起倒自在の受診者用椅子３４が配設され、コンテナ２１ｂ内の温度調整を行うエアコン３６、及び、マンモグラフィ装置３０により撮影されたＸ線画像を読み取る後述の読取装置用除湿加温器３８が設置されている。
【００６７】
また、検査運用室２２ｂには、起倒自在の運用者用椅子４０が配設され、マンモグラフィ装置３０により撮影されたＸ線画像を読み取る読取装置４２、モニタやコンピュータなどからなる画像処理及び診断装置類４４が配設されるほか、エアコン３６の室外機４６や発電機または主蓄電器４８及び発電機用蓄電池または副蓄電池５０が配設されている。
【００６８】
なお、マンモグラフィ装置３０、読取装置４２並びに画像処理及び診断装置類４４がマンモグラフィ併用乳がん検査用の医療検査手段を構成し、これらは厚生労働省老健局の通達に基づく法的な精度管理がなされている。
【００６９】
そして、受診者は階段２６を使ってドア２４より検査運用室２２ｂ内に入り、ドア２８より撮影室２２ａ内に移動して脱衣し、医師による視触診検査を受けた後、マンモグラフィ装置３０の有資格検査運用者の指導のもとマンモグラフィ装置３０によるＸ線画像の撮影を行い、撮影終了後、受診者は撮影室２２ａで衣服を着用して車外に出ればよい。なお、Ｘ線画像データは、読取装置４２により読み取られて画像処理及び診断装置類４４のメモリに保存される。
【００７０】
＜検査申込・受付処理の手順＞
つぎに、上記した検査受付処理装置を用いて受診希望者が検査申し込みを行う場合の受付処理の手順について図９及び図１０のフローチャートを参照して説明する。
【００７１】
いま、図９に示すように、ある申込元が携帯電話１を使って管理部のホームページにアクセスする場合を例として説明すると、管理側のパソコン３のＣＰＵ３ａによりアクセスがあるか否かの判定がなされ（ステップＳ１）、この判定結果がＮＯであれば判定結果がＹＥＳになるまでこの判定が繰り返され、判定結果がＹＥＳとなれば、インターネット上の特定のＷＷＷサーバに開設されたホームページ画面（図２参照）が申込元の携帯電話１の液晶表示部に表示される（ステップＳ２）。
【００７２】
続いて、申込元の携帯電話１の液晶表示部に表示されるホームページ画面において、「ユーザ登録はこちらから」というページ選択が行われたか否かの判定がなされ（ステップＳ３）、この判定結果がＮＯであれば判定結果がＹＥＳになるまでこの判定が繰り返され、判定結果がＹＥＳになれば、図３に示すような登録画面が申込元の携帯電話１の液晶表示部に表示される（ステップＳ４）。
【００７３】
そして、申込元の携帯電話１の液晶表示部に表示される登録画面において、ユーザＩＤ、パスワード、氏名、住所などの全ての申込元情報の入力が完了したか否かの判定がなされ（ステップＳ５）、この判定結果がＮＯであれば判定結果がＹＥＳになるまでこの判定が繰り返され、判定結果がＹＥＳになれば、図２に示すホームページから申込ページが選択されたか否かの判定がなされ（ステップＳ６）、この判定結果がＮＯであれば判定結果がＹＥＳになるまでこの判定が繰り返され、判定結果がＹＥＳになれば、図４に示すような検査希望日・時間帯の入力画面が申込元の携帯電話１の液晶表示部に表示される（ステップＳ７）。
【００７４】
さらに、申込元の携帯電話１の液晶表示部に表示される検査希望日・時間帯の入力画面において、第１〜第３希望日である検査希望日と各希望時間帯の入力が完了したか否かの判定がなされ（ステップＳ８）、この判定結果がＮＯであれば判定結果がＹＥＳになるまでこの判定が繰り返され、判定結果がＹＥＳになれば、図５に示すような所定の質問事項からなる質問画面が申込元の携帯電話１の液晶表示部に表示され（ステップＳ９）、その後、全ての質問事項に対する回答が入力されたか否かの判定がなされ（ステップＳ１０）、この判定結果がＮＯであれば判定結果がＹＥＳになるまでこの判定が繰り返され、判定結果がＹＥＳになれば、後に詳述する当該申込元が受診してよいとする許可条件を満たしているかどうかを判定する許可条件判定処理が行われる（ステップＳ１１）。
【００７５】
そして、許可条件判定処理の結果、当該申込元が許可条件を満たしているか（ＯＫか）どうかの判定がなされ（ステップＳ１２）、判定結果がＹＥＳであれば、当該申込元が許可条件を満たしていて受診可能であるため、上記したようにして派遣すべき検査車両２０の待機場所から当該申込元の住所までの走行に要する所要時間が、当該申込元の住所の地図データに基づいて算出されて、検査実施予定日と当日の検査車両の到着予想時刻が電子メールで通知され（ステップＳ１３）、受付処理が完了して動作は終了する。
【００７６】
一方、ステップＳ１２の判定結果がＮＯであれば、当該申込元が許可条件を満たしておらず受診不可能であるため、上記したように、「本年度は検査の対象ではありません。来年度に受診下さい。」や、「症状がありますので検診は受けられません。直ちに精密検査施設にて受診して下さい。」などの受診不許可の旨が電子メールにより当該申込元の携帯電話１に送信され（ステップＳ１４）、動作は終了する。
【００７７】
つぎに、上記したステップＳ１１の許可条件判定処理について図１０を参照して説明すると、図５に示す質問画面における各質問事項の回答結果から、前々回受診日、前回受信日のデータより当該申込元の受診回数が２年に１回の割であるか否かの判定がなされ（ステップＱ１）、この判定結果がＹＥＳであれば、生年月日データより当該申込元が受診可能な年齢制限以上であるか否かの判定がなされ（ステップＱ２）、この判定結果がＹＥＳであれば、症状の有無データより当該申込元が無症状であるか否かの判定がされる（ステップＱ３）。
【００７８】
そして、ステップＱ３の判定結果がＹＥＳであれば、当該申込元が許可条件を満たしていて受診可能（ＯＫ）であると判定される一方（ステップＱ４）、ステップＱ１〜Ｑ３のいずれかの判定結果がＮＯであれば、当該申込元が許可条件を満たしておらず受診不可能であると判定され（ステップＱ５）、ステップＱ４の処理を経た後とともに当該許可条件判定処理が終了する。
【００７９】
なお、質問事項のうちの駐車場の有無に関する回答として「駐車場なし」の場合には、例えば電話により、申込元の近所における検査車両２０の駐車可能な場所の確認を行うなどの対応策がとられる。
【００８０】
このように、申込元からの検査申込があれば、上記した手順にしたがって受付処理が行われ、当該申込元が受診可能であると判定されると、検査実施予定日と検査車両の到着予想時刻が申込元の携帯電話１に電子メールで通知されるとともに、派遣する検査車両２０に搭乗する医師、運転者、有資格検査運用者などに当該検査予定日の出発予定時刻が電子メールにより報知されて派遣が促される。
【００８１】
このとき、同じ検査希望日に複数の申込元が重複した場合には、当該日を第１希望日とする申込元から検査車両２０の派遣順序が決定され、同じ検査希望日を第１希望日とする複数の申込元がある場合には、検査希望時間帯の早い申込元から検査車両２０の派遣順序が決定され、さらに検査希望時間帯が重複する場合には、当該申込元の住所に基づき検査車両２０の待機場所から当該住所までの距離の近い方から検査車両２０の派遣順序が決定されて各々の到着予想時刻が通知される。
【００８２】
なお、開業医院からの申込を行う場合には、氏名欄は開業医院名と受診者氏名、住所欄は開業医院住所、許可条件判定の為の情報入力は、検診の場合は患者情報をそのまま入力し、精密検査の場合はダミーの情報を入力するなどの工夫することにより、上記の例で開業医院における検査に対応できる。
【００８３】
なお、本実施形態はマンモグラフィ併用乳がん検査を対象とした例であるため、検査車両２０に搭乗するのは、個人宅へ派遣する場合は、乳房等の視触診検査を行う医師のほかマンモグラフィ検査装置の有資格検査運用者と運転者であり、医師が運転免許とマンモグラフィ検査装置の運用資格の両方を有する場合には医師ひとりであり、医師或いは有資格検査運用者のいずれかがが運転免許を有する場合には運転する医師と有資格検査運用者、或いは運転する有資格検査運用者と医師であり、医師がマンモグラフィ検査装置の運用資格をも有する場合には医師と運転者のふたりか、或いは、運転する医師ひとりである。また、開業医院へ派遣する場合は、上記の個人宅へ派遣する場合の医師を除いたものとなる。
【００８４】
ところで、マンモグラフィ超音波乳がん検査を行うような場合には、乳房等の視触診検査手段に加えて、マンモグラフィ検査手段と超音波検査手段が必要となるため、マンモグラフィ検査装置を搭載した検査車両と、超音波検査装置を搭載した検査車両の少なくとも２台に検査車両の派遣が必要になるが、２台の検査車両が同時に出発すると、申込元に１台分の駐車スペースしかないことが多々考えられるため、マンモグラフィ検査手段と超音波検査手段とを順次に行うべく先に行う検査手段に要する時間を見越して、ＣＰＵ３ａにより、後から行う検査手段の検査装置を搭載した検査車両の出発予定時刻に時差が設けられ、時差設定された出発予定時刻が各々の検査車両の搭乗予定者に報知される。
【００８５】
従って、上記した第１実施形態によれば、自宅に居ながら検診を希望する個人や検査設備を有しない開業医院は、簡単に検査申込を行うことができて検査車両２０と検査人員の派遣を希望時刻に受けることが可能になり、従前のように受診を希望する者はわざわざ検査のために病院等の施設に施設の都合の時刻に出向く必要がなくなり、個人の場合には自宅駐車場やその付近で検査を受けることができ、開業医院の場合には医院において受診希望者や患者に対する検査を実施することができ、かつ、検査車両と人員の派遣においては、最少の人員で個別の検査を実施することができ、機動性よく検査車両を派遣することが可能になる。
【００８６】
その結果、受診率の低いマンモグラフィ検査に対する受診率の向上を図ることができ、受診率が低かった地域におけるマンモグラフィ検査に対する受診率の向上に寄与することができる。
【００８７】
また、上記した第１実施形態では、申込元は管理部のホームページの表示画面に従った手順で検査申込を簡単に行うことができるため、簡単な申込手続きで、しかも自宅に居ながら受診したり近くのかかりつけの開業医院においてマンモグラフィ検査を受診することが可能になる。
【００８８】
さらに、上記した第１実施形態では、普通駐車場１台分に駐車可能な２トントラックをベースとして検査車両２０を構成したため、従来の既存の検査車と異なる特別な改造を必要とせずに、既存の検査車と基本設計を共通化しつつ搭載すべき検査機器を変更するのみで上記したマンモグラフィ検査用のみならず、マンモグラフィ以外の検査機器、例えばマンモグラフィ検査機器を乳腺超音波検査機器に変更するのみで、上記した乳がん超音波検査用の検査車両２０を容易に形成することができ、設計費や改造費を大幅に軽減することが可能になる。
【００８９】
また、上記した第１実施形態では、マンモグラフィ装置３０等の駆動源として商用電源により充電可能なバッテリで十分であるため、検査前後での発電機の操作が不要となり、検査終了後に次の検査に備えて検査車両２０を管理する場所で充電しておけばよく、機動性よく検査車両を派遣することが可能となり、さらに、検査車両２０を停めて検査を行う間、発電機による排ガス、騒音、振動などがなく、周囲への影響と検査車両内での環境が良好となり、地下駐車場などの閉鎖的な場所へも派遣することが可能となるという優れた効果が得られる。
【００９０】
なお、上記した申込元の携帯電話１に代えて、パーソナルコンピュータを使用するようにた場合であっても、上記した第１実施形態と同等の効果を得ることができる。
【００９１】
（第２実施形態）
本発明の第２実施形態について図１１を参照して説明する。本実施形態も上記した第１実施形態と同様マンモグラフィ併用乳がん検査を行うための医療検査手段として、マンモグラフィ検査装置を搭載した検査車両を派遣する場合の例である。
【００９２】
図１１は第２実施形態における検査受付処理装置のブロック図であり、通信端末として電話機を用い、申込元に送出される音声メッセージにしたがって検査申込が行われるようにした場合の構成を示す。なお、以下の説明では、検車車両２０を示す図６〜図８も参照することとする。
【００９３】
図１１示すように、例えば電話回線６０を介して携帯電話或いは固定電話から成る申込元側通信端末６２と接続される管理側通信端末６４が設けられ、コントローラ６６により、管理側通信端末６４の着信検知に伴う自動回線接続、送受信制御、オフフック検知に伴う自動回線遮断などの制御が行われる。
【００９４】
また、コントローラ６６により通信端末６２，６４間の回線が接続された後、コントローラ５により音声メッセージ送出手段６８が制御されて予め決められた所定の音声メッセージが申込元通信端末６２に送出されるようになっている。このとき、送出される複数のメッセージのデータは音声データ格納部６８ａに予め格納され、音声制御部６８ｂの制御により必要なデータが音声データ格納部６８ａから読み出されて音声合成ＬＳＩから成る音声合成部６８ｃにより音声化され、申込元通信端末６２に送出される。
【００９５】
音声メッセージの例を挙げると、申込元の住所を確認するために、例えば「郵便番号の７桁の数字をキー入力して下さい」というメッセージが音声合成されて送出され、「続けて、番地の数字をキー入力して下さい」というメッセージが音声合成されて送出され、さらに「住所をお願いします」、「電話番号をキー入力して下さい」などのメッセージが音声合成されて送出される。
【００９６】
このとき、申込元通信端末６２から氏名の音声データが送られてくると、氏名の音声データはコントローラ６６によりＩＣメモリ或いはフラッシュメモリなどから成る音声メモリ７０の所定アドレスに一旦格納される。
【００９７】
そして、申込元からの住所、氏名等に関するデータがコントローラ６６を介して取得手段７２により取得された後、音声メッセージ送出手段６８により「検査希望日と時間帯をキー入力して下さい」というメッセージが音声合成されて送出され、このメッセージに応じて申込元により入力される検査希望日と時間帯に関するデータがコントローラ６６を介して取得手段７２により取得され、取得手段７２による申込元情報の取得が完了する。
【００９８】
続いて、当該申込元が検査を受けてよいかどうかを判断するために、音声メッセージ送出手段６８により「次の質問にお答え下さい」というメッセージが音声合成されて送出され、「前回の受診日をキー入力して下さい」、「生年月日をキー入力して下さい」、「何らかの症状がある方は“１”、ない方は“２”を押して下さい」、「検査車両を停める駐車場がある方は“８”、ない方は“９”を押して下さい」という具体的質問内容が音声合成されて送出される。
【００９９】
これらの質問項目について申込元から回答があると、作成手段７４により、ＣＤ−ＲＯＭ、ＤＶＤやＨＤＤなどからなる申込リスト記憶手段７６の所定アドレスに、取得された申込元情報及び質問項目の回答が、氏名データを格納した音声メモリ７０のアドレス情報とともに書き込まれ、当該申込元の申込リストが作成される。
【０１００】
一方、判定手段７８により、取得手段７２により取得された上記の質問項目に対する回答に基づき、当該申込元が検査を受けてよいとする許可条件を満たしているかどうかが判定される。即ち、前回の受診日データから受診可能と判断する２年に１回の割を超える受診に当たるかどうか、受診可能とする年齢制限以上であるかどうか、受診可能とする条件である無症状に該当するかどうか、などの許可条件を全て満たしているかどうかが判定手段７８により判定される。
【０１０１】
さらに、決定手段８０により、作成手段７４によって記憶手段７６の申込リストに書き込まれた当該申込元の検査希望日が、すでに申込リストが作成された別の申込元の検査希望日と重複する場合には、検査希望時間帯が異なっていれば検査希望時間帯の早い順に派遣順序が決定される。また、検査希望日と検査希望時間帯に複数重複する場合には、複数の申込元の住所に基づいて待機場所から近い順に派遣順序が決定される。
【０１０２】
また、送受信手段８２により、インターネットなどを通じて地図データ供給サービスを提供するサイトにアンテナ８４を介してアクセス（検索）され、地図データ読込手段８６により当該申込元の住所周辺の地図データが読み込まれて一時的に保持される。この場合、地図データ供給サービスを提供するサイトが本発明における「地図データ格納手段」に相当する。
【０１０３】
さらに、算出手段８８により、当該申込元が希望する検査希望日に派遣予定が一の場合には、派遣予定の検査車両２０の待機場所から当該申込元の住所までの走行に要する所要時間が算出され、当該申込元が希望する検査希望日に複数の申込元が重複している場合には、先に派遣予定の申込元の住所を待機場所として、決定手段８０により決定される次に派遣予定の申込元の住所までの走行に要する所要時間が算出される。
【０１０４】
ここで、上記した送受信手段８２に代えて、ＧＰＳ（Global Positioning System）によるナビゲーション装置を、地図データ格納手段として用いてもよいのは勿論である。
【０１０５】
そして、判定手段７８により許可条件を満たしていると判定された場合には、通知手段９０により、算出手段８８により算出される所要時間から、派遣予定の検査車両の到着予想時刻が導出され、導出された到着予想時刻がコントローラ６６、管理側通信端末６４、電話回線６０を介して申込元側通信端末６２に対して検査予定日の数日前などに通知される。
【０１０６】
このような構成でも、上記した第１実施形態と同様、自宅に居ながら検診を希望する個人や検査設備を有しない開業医院は、簡単に検査申込を行うことができて検査車両の派遣を受けることが可能になり、最少の人員で個別の検査を実施することができ、機動性よく検査車両を派遣することが可能になり、マンモグラフィ検査に対する受診率の向上に寄与することができる。
【０１０７】
このとき、個人の受診希望者は家庭の固定電話や携帯電話で検査申込を行うことができるため、パソコンなどの操作に不慣れな高齢者であっても簡単に検査申込を行うことが可能になる。
【０１０８】
（その他）
なお、上記した各実施形態では、医療検査手段として、マンモグラフィ検査装置を検査車両２０に搭載した場合について説明したが、検査車両２０に搭載する医療検査手段は、通常のＸ線撮影装置や、内視鏡装置、血液検査装置などのその他の検査装置であってもよいのは勿論であり、１種類の検査を行うために必要な医療検査手段を複数の検査車両に分割搭載するようにしてもよいし、１台に複数種類の検査を搭載してもよい。
【０１０９】
ところで、上記した各実施形態では、インターネット利用可能な通信端末や電話機などの通信端末を使って検査申込に対する受付処理を行う場合について説明したが、人間が直接電話機を介して検査申込に対する受付処理を行ったり、例えば面前において口頭による検査申込に対する受付処理を行ったりしてもよい。
【０１１０】
このとき、受付対応を行うのは、検査車両の車検登録者や、車検登録者から管理を委託された者が行えばよく、受付対応を行った者が市販の地図を調べ検査車両の待機場所から申込元の住所までの距離を求めて到着予想時刻を導出し、申込元に対して申込元への到着予想時刻を通知するのが望ましい。また、車検登録者から管理を委託された者が、検査運用者であってもよいのは勿論である。
【０１１１】
また、各開業医院が個別に上記のような検査予約を募り、その各開業医院を定期的に巡回するような運用や、検査車両が任意に選定した地域を走行中にスピーカを通じて受診を呼びかけ、その呼びかけに応じる受診希望者を募り、希望者があればその希望者宅にて検査を実施するような運用を行ってもよいのは勿論である。
【０１１２】
なお、本発明は上記した実施形態に限定されるものではなく、その趣旨を逸脱しない限りにおいて上述したもの以外に種々の変更を行うことが可能である。
【図面の簡単な説明】
【０１１３】
【図１】本発明の第１実施形態のブロック図である。
【図２】本発明の第１実施形態における動作説明用の表示画面例を示す図である。
【図３】本発明の第１実施形態における動作説明用の表示画面例を示す図である。
【図４】本発明の第１実施形態における動作説明用の表示画面例を示す図である。
【図５】本発明の第１実施形態における動作説明用の表示画面例を示す図である。
【図６】本発明の第１実施形態における検査車両の平面図である。
【図７】本発明の第１実施形態における検査車両の右側面図である。
【図８】本発明の第１実施形態における検査車両の左側面図である。
【図９】本発明の第１実施形態における動作説明用フローチャートである。
【図１０】本発明の第１実施形態における動作説明用フローチャートである。
【図１１】本発明の第２実施形態のブロック図である。
【符号の説明】
【０１１４】
１…携帯電話（申込元側通信端末）、２…インターネット、３…パソコン（取得手段、作成手段、判定手段、決定手段、算出手段、通知手段、登録手段、報知手段）、１５…ＧＰＳサーバ１５（地図データ格納手段）、２０…検査車両、２２ａ…撮影室（検査及び脱衣スペース）、３０…マンモグラフィ装置（医療検査手段）、４２…読取装置（医療検査手段）、４４…画像処理及び診断装置類（医療検査手段）、６０…電話回線、６２…申込元側通信端末、６４…管理側通信端末、７２…取得手段、７４…作成手段、７６…申込リスト記憶手段、７８…判定手段、８０…決定手段、８８…算出手段、９０…通知手段
【図１】
2008000417.tif 000003
【図２】
2008000417.tif 000004
【図３】
2008000417.tif 000005
【図４】
2008000417.tif 000006
【図５】
2008000417.tif 000007
【図６】
2008000417.tif 000008
【図７】
2008000417.tif 000009
【図８】
2008000417.tif 000010
【図９】
2008000417.tif 000011
【図１０】
2008000417.tif 000012
【図１１】
2008000417.tif 000013
【手続補正書】
【提出日】平成19年6月15日(2007.6.15)
【手続補正１】
【補正対象書類名】明細書
【補正対象項目名】００８１
【補正方法】変更
【補正の内容】
【００８１】
このとき、同じ検査希望日に複数の申込元が重複した場合には、当該日を第１希望日とする申込元から検査車両２０の派遣順序が決定され、同じ検査希望日を第１希望日とする複数の申込元がある場合には、検査希望時間帯の早い申込元から検査車両２０の派遣順序が決定され、さらに検査希望時間帯が重複する場合には、当該申込元の住所に基づき検査車両２０の待機場所から当該住所までの距離の近い方から検査車両２０の派遣順序が決定されて各々の到着予想時刻が通知される。また、検査希望日が申込当日であって、当日に申込元が重複せずにその申込元１件しかない場合には、当該申込元の検査希望時間帯に検査車両２０を派遣することが可能であり、いわゆる検査車両２０の即時派遣の要望にも対応することができる。